(57)【特許請求の範囲】
【請求項１】
第１の圧縮機、複数の放熱器、第１の減圧装置及び蒸発器が冷媒配管により接続されて第１の冷凍サイクル回路が形成され、該第１の冷凍サイクル回路に第１の冷媒が循環するヒートポンプにおいて、
複数の前記放熱器は直列接続され、
前記第１の冷媒の流れ方向に沿って見た場合、
２番目以降の前記放熱器のうちの少なくとも１つには、該放熱器の冷媒入口側となる冷媒配管に、前記第１の冷媒を加熱する第１の熱交換部が設けられ、
前記第１の熱交換部が設けられた前記放熱器のうちで最上流部に配置された前記放熱器又は当該放熱器よりも下流側の前記放熱器には、冷媒出口側となる冷媒配管に、前記第１の冷媒を冷却する第２の熱交換部が設けられ、
第２の圧縮機、前記第１の熱交換部のうちの少なくとも１つ、第２の減圧装置、及び前記第２の熱交換部がこの順で冷媒配管により接続されて第２の冷凍サイクル回路が形成され、
該第２の冷凍サイクル回路に第２の冷媒が循環し、前記第２の熱交換部において前記第１の冷媒から収集した熱を、前記第１の熱交換部において前記第１の冷媒の加熱に用いることを特徴とするヒートポンプ。
【請求項２】
前記第１の冷媒は、前記第１の圧縮機から吐出される際の圧力が臨界圧力よりも高い状態で動作する冷媒であることを特徴とする請求項１に記載のヒートポンプ。
【請求項３】
前記第１の減圧装置に流入する前記第１の冷媒の温度は、
複数の前記放熱器に流入する被加熱媒体の温度よりも低くなるように制御されることを特徴とする請求項１又は２に記載のヒートポンプ。
【請求項４】
前記第１の熱交換部及び前記第２の熱交換部において、
前記第１の冷媒の流れ方向と前記第２の冷媒の流れ方向とが対向流となることを特徴とする請求項１に記載のヒートポンプ。
【請求項５】
前記第２の冷媒は、
蒸発温度が１０℃〜３０℃、擬臨界温度又は凝縮温度が３０℃〜５０℃における理論ＣＯＰが、蒸発温度が１０℃〜３０℃、擬臨界温度又は凝縮温度が３０℃〜５０℃における前記第１の冷媒の理論ＣＯＰよりも高い冷媒であることを特徴とする請求項１又は４に記載のヒートポンプ。
【請求項６】
前記第１の冷媒は、二酸化炭素冷媒であることを特徴とする請求項１〜５のいずれか一項に記載のヒートポンプ。
【請求項７】
前記第２の冷媒は、Ｒ４１０Ａ冷媒よりも地球温暖化係数が小さい冷媒であることを特徴とする請求項１、４、５のいずれか一項に記載のヒートポンプ。
【請求項８】
熱源機、中継機及び複数の室内機を配管接続することにより、前記熱源機、前記中継機及び前記室内機を互いに離して設置することができる多室型空気調和装置が形成され、
前記熱源機から前記中継機までの熱輸送を前記第１の冷媒より行い、
前記中継機から前記室内機までの熱輸送を、前記第１の冷媒とは異なる冷媒による冷媒により行い、
前記中継機に前記第２の冷凍サイクル回路を設置したことを特徴とする請求項１〜７のいずれか一項に記載のヒートポンプ。
【発明の詳細な説明】
【技術分野】
【０００１】
本発明は、圧縮機、複数の放熱器、膨張弁及び蒸発器を備えたヒートポンプに関する。
【背景技術】
【０００２】
従来より、圧縮機、複数の放熱器、膨張弁及び蒸発器を備えたヒートポンプが提案されている（例えば特許文献１及び特許文献２参照）。【０００３】
例えば特許文献１には、圧縮機、複数のガスクーラー、膨張弁、及び蒸発器が冷媒配管により接続された一次側冷媒回路と、ガスクーラーと循環ポンプが配管により接続された二次側冷媒回路とを備えたヒートポンプが提案されている。このヒートポンプは、二次側冷媒回路を流れる水がガスクーラーで加熱され、この加熱された水を給湯、冷暖房、床暖房等に用いている。
特許文献１では、ガスクーラーに流入する水の流入温度に応じたガスクーラーの接続方法（直列接続や並列接続）が提案されている。そして、ガスクーラーに流入する水の流入温度に応じた接続方法でガスクーラーを配置し、ガスクーラーを流れる冷媒の熱エネルギーをカスケード利用することにより、ＣＯＰの向上を図っている。【０００４】
また、例えば特許文献２には、低元側冷凍システムの放熱器出口に低元側冷凍システムの放熱を補助する高元側冷凍システムを接続し、冷蔵、冷凍を行うヒートポンプが提案されている。このヒートポンプは、冷蔵、冷凍等の冷房運転において、室外熱交換器出口の冷媒を高元側冷凍システムを用いて冷却し、冷凍能力の向上を図っている。
【先行技術文献】
【特許文献】
【０００５】
【特許文献１】特開２００４−００３８０１号公報（第１６〜２０頁、図４〜図８）
【特許文献２】特開２００８−００２７５９号公報（第７〜９頁、図１）
【発明の概要】
【発明が解決しようとする課題】
【０００６】
しかしながら、従来のヒートポンプにおいては、給湯や暖房運転の際に放熱器へ流入する被加熱媒体（空気、水、ブレイン等）の温度が高くなった場合、暖房・給湯能力が低下してしまうという課題があった。
例えば、特許文献１に記載のヒートポンプは、ガスクーラーに流入する水の温度をあらかじめ仮定し、その温度に基づいてガスクーラーが配置されるものである。このため、ガスクーラーに流入する水の温度が仮定値よりも高くなった場合、ＣＯＰが低下してしまう。
また、特許文献２に記載のヒートポンプは、冷凍能力の向上を図ったものである。【０００７】
本発明は、上記のような課題を解決するためになされたものであり、放熱器に流入する暖房や給湯等に用いる被加熱媒体の流入温度が上昇した場合でも、ＣＯＰが高い状態で運転することが可能なヒートポンプを提供することを目的としている。
【課題を解決するための手段】
【０００８】
本発明に係るヒートポンプは、第１の圧縮機、複数の放熱器、第１の減圧装置及び蒸発器が冷媒配管により接続されて第１の冷凍サイクル回路が形成され、第１の冷凍サイクル回路に第１の冷媒が循環するヒートポンプにおいて、複数の放熱器は直列接続され、第１の冷媒の流れ方向に沿って見た場合、２番目以降の放熱器のうちの少なくとも１つには、放熱器の冷媒入口側となる冷媒配管に、第１の冷媒を加熱する第１の熱交換部が設けられ、第１の熱交換部が設けられた放熱器のうちで最上流部に配置された放熱器又は当該放熱器よりも下流側の放熱器には、冷媒出口側となる冷媒配管に、第１の冷媒を冷却する第２の熱交換部が設けられ、第２の圧縮機、第１の熱交換部のうちの少なくとも１つ、第２の減圧装置、及び第２の熱交換部がこの順で冷媒配管により接続されて第２の冷凍サイクル回路が形成され、第２の冷凍サイクル回路に第２の冷媒が循環し、第２の熱交換部において第１の冷媒から収集した熱を、第１の熱交換部において第１の冷媒の加熱に用いる。
【発明の効果】
【０００９】
本発明においては、２番目以降の放熱器のうちの少なくとも１つには、放熱器の冷媒入口側となる冷媒配管に、第１の冷媒を加熱する第１の熱交換部が設けられている。このため、放熱器に流入する暖房や給湯に用いる被加熱媒体の流入温度が上昇した場合でも、２番目以降の放熱器において、被加熱媒体と第１の冷媒との温度差を確保できる。また、第１の熱交換部が設けられた放熱器のうちで最上流部に配置された放熱器又は当該放熱器よりも下流側の放熱器には、冷媒出口側となる冷媒配管に、第１の冷媒を冷却する第２の熱交換部が設けられている。このため、蒸発器を流れる第１の冷媒のエンタルピー差を大きくすることができる。したがって、蒸発器での熱収集能力が向上し、ヒートポンプの効率（暖房能力）が向上する。
したがって、放熱器に流入する暖房や給湯等に用いる被加熱媒体の温度が上昇した場合でも、ＣＯＰが高い状態で運転することが可能なヒートポンプを得ることができる。
【図面の簡単な説明】
【００１０】
【図１】実施の形態１に係るヒートポンプの一例を示す冷媒回路図である。
【図２】実施の形態１に係るヒートポンプの別の一例を示す冷媒回路図である。
【図３】実施の形態１に係るヒートポンプのさらに別の一例を示す冷媒回路図である。
【図４】実施の形態２に係るヒートポンプの一例を示す冷媒回路図である。
【図５】実施の形態２に係るヒートポンプにおいて、二次側冷凍サイクル回路を動作させなかった場合における一次側冷媒のＰ−ｈ線図である。
【図６】実施の形態２に係るヒートポンプにおいて、二次側冷凍サイクルを動作させた場合における一次側冷媒のＰ−ｈ線図である。
【図７】実施の形態３に係るヒートポンプの一例を示す冷媒回路図である。
【図８】実施の形態３に係るヒートポンプにおける冷房運転時の冷媒、水の流れを示す冷媒回路図である。
【図９】実施の形態３に係るヒートポンプにおける冷房運転時のＰ−ｈ線図である。
【図１０】実施の形態３に係るヒートポンプにおける暖房運転時の冷媒、水の流れを示す冷媒回路図である。
【図１１】実施の形態３に係るヒートポンプにおける暖房運転時のＰ−ｈ線図である。
【図１２】実施の形態３に係るヒートポンプにおける冷房主体運転時の冷媒、水の流れを示す冷媒回路図である。
【図１３】実施の形態３に係るヒートポンプにおける冷房主体運転時のＰ−ｈ線図である。
【図１４】実施の形態３に係るヒートポンプにおける暖房主体運転時の冷媒、水の流れを示す冷媒回路図である。
【図１５】実施の形態３に係るヒートポンプにおける暖房主体運転時のＰ−ｈ線図である。
【図１６】実施の形態３に係るヒートポンプの暖房運転モードにおいて二次側サイクル回路を動作させた場合の冷媒、水の流れを示す図である。
【図１７】実施の形態３に係るヒートポンプの暖房運転モードにおいて二次側サイクルを動作させた場合のＰ−ｈ線図である。
【図１８】実施の形態３に係るヒートポンプの冷房主体運転モードにおいて二次側サイクルを動作させた場合の冷媒、水の流れを示す図である。
【図１９】実施の形態３に係るヒートポンプの冷房主体運転モードにおいて二次側サイクルを動作させた場合のＰ−ｈ線図である。
【図２０】実施の形態３に係るヒートポンプの別の一例を示す冷媒回路図である。
【図２１】実施の形態３に係るヒートポンプのさらに別の一例を示す冷媒回路図である。
【図２２】実施の形態３に係るヒートポンプのさらに別の一例を示す冷媒回路図である。
【発明を実施するための形態】
【００１１】
以下、図面に基づいて本発明の実施の形態について説明する。
【００１２】
実施の形態１．
図１は、実施の形態１に係るヒートポンプの一例を示す冷媒回路図である。なお、ヒートポンプとは、給湯や空気調和を行う冷凍装置を指す。
ヒートポンプ１００は、第１の圧縮機１、第１の放熱器２、第２の放熱器４、膨張弁６及び蒸発器７が冷媒配管で接続され、一次側冷凍サイクル回路が形成されている。このヒートポンプ１００は、例えば暖房用に用いられるものであり、ファン等（図示せず）によって供給された空気（第１の放熱器２及び第２の放熱器４）を、第１の放熱器２及び第２の放熱器４を流れる一次側冷媒で加熱する。本実施の形態１では、一次側冷媒として、放熱過程において超臨界状態で動作する冷媒（例えば二酸化炭素）を用いている。
ここで、膨張弁６が本発明の第１の減圧装置に相当し、一次側冷凍サイクル回路が本発明の第１の冷凍サイクル回路に相当する。また、一次側冷媒が、本発明の第１の冷媒に相当する。なお、第１の減圧装置は膨張弁６に限らず、種々のものを用いることができる。例えば、第１の減圧装置としてキャピラリー等を用いてもよい。
【００１３】
この一次側冷凍サイクル回路には、第２の放熱器４の上流側配管に第１の熱交換部３が設けられている。この第１の熱交換部３は、一次側冷凍サイクル回路を流れる一次側冷媒を加熱するものである。
また、この一次側冷凍サイクル回路には、第２の放熱器４の下流側配管に第２の熱交換部５が設けられている。この第２の熱交換部５は、一次側冷凍サイクル回路を流れる一次側冷媒を冷却するものである。
【００１４】
なお、図１は２つの放熱器（第１の放熱器２及び第２の放熱器４）を用いた例について説明しているが、複数（２つ以上）の放熱器が直列接続されていればであればよい。この場合、一次側冷媒の流れ方向に沿って２番目以降の放熱器のうちの少なくとも１つの上流側配管（冷媒入口側配管）に、第１の熱交換部３を設ければよい。また、第２の放熱器４は、第１の熱交換部３が設けられた放熱器のうちで最上流部に配置された放熱器又はこの放熱器よりも下流側の放熱器の下流側配管（冷媒出口側配管）に設ければよい。第２の熱交換部５は最下流部に配置された放熱器の下流側配管に設けられるのが理想であるが、例えば放熱器の間隔が離れている場合等、途中の放熱器から流出した一次側冷媒を第２の熱交換部５で冷却しなければならないことがあるからである。
【００１５】
また、複数の放熱器は、空気と熱交換する空気熱交換器に限らず、水やブライン等（以下、水やブライン等を特に区別する必要がないときは、単に水と標記する）と熱交換する水熱交換器を用いてもよい。空気熱交換器と水熱交換器の双方を一次側冷凍サイクル回路に設けても、もちろんよい。
【００１６】
例えば、第１の放熱器２及び第２の放熱器４として水熱交換器を用いた場合、図２のようになる。
図２は、実施の形態１に係るヒートポンプの別の一例を示す冷媒回路図である。ポンプ８を介して、水が第１の放熱器２及び第２の放熱器４に直列に供給される。また、第１の放熱器２及び第２の放熱器４において、一次側冷媒の流れ方向と水の流れ方向とは対向流となっている。一次側冷媒の流れ方向と水の流れ方向とを対向流とすることにより、一次側冷媒と水との温度差を確保しやすくなり、熱交換効率が向上する。
【００１７】
第１の放熱器２及び第２の放熱器４で加熱された水は、例えば、給湯用に用いられる。また例えば、第１の放熱器２及び第２の放熱器４で加熱された水は、水回路に接続された室内機、パネルヒータ、ラジエータ等に流入し、暖房、床暖房用に用いられる。
【００１８】
なお、第１の放熱器２及び第２の放熱器４（水熱交換器）としては、プレート式水熱交換器、二重管式水熱交換器、及びマイクロチャネル式等の水熱交換器を用いるとよい。
【００１９】
図３は、実施の形態１に係るヒートポンプのさらに別の一例を示す冷媒回路図である。第１の放熱器２及び第２の放熱器４には、それぞれ別々に、給水や暖房等に用いられる水が供給されている。より具体的には、第１の放熱器２には、ポンプ９を介して水が供給される。第２の放熱器４には、ポンプ８を介して水が供給される。このように、第１の放熱器２及び第２の放熱器４に、直列に水が供給されてもよい。
【００２０】
（動作説明）
続いて、ヒートポンプ１００〜１０２の動作について説明する。
第１の圧縮機１は、蒸発器７で蒸発された冷媒を、アキュムレーター（図示せず）を介して吸引する。そして、通常運転時、第１の圧縮機１は、一次側冷媒を臨界圧力以上まで圧縮する。なお、アキュムレーターは設けなくてもよい。
【００２１】
第１の圧縮機１で圧縮された一次側冷媒は、第１の放熱器２に流入し、ファン（図示せず）やポンプ（ポンプ８，９）により供給される（流入する）空気や水と熱交換して冷却される。第１の放熱器２で冷却された一次側冷媒は、第１の熱交換部３に流入し、一次側冷媒よりも高温の流体と熱交換して加熱される。第１の熱交換部３で加熱された一次側冷媒は、第２の放熱器４に流入し、ファンやポンプ（ポンプ８）により供給される空気や水と熱交換して冷却される。第１の放熱器２で冷却された一次側冷媒は、第１の熱交換部３に流入し、一次側冷媒よりも高温の流体と熱交換して加熱される。第１の熱交換部３で加熱された一次側冷媒は、第２の熱交換部５に流入し、一次側冷媒よりも温度が低い流体と熱交換して冷却される。第２の熱交換部５から流出した冷媒は、膨張弁６で減圧されて、低温低圧のガス、液の二相冷媒になる。そしてこの一次側冷媒は、蒸発器７に流入し、蒸発器に流入する空気や水と熱交換する（空気や水から吸熱する）。蒸発器７を流出した一次側冷媒は、アキュムレーター（図示せず）を介して、圧縮機に吸入される。
【００２２】
以上、このように構成されたヒートポンプ１００〜１０２においては、第１の放熱器２で冷却された一次側冷媒は、第１の熱交換部３で加熱されて第２の放熱器４へ流入する。このため、第２の放熱器４に流入する被加熱媒体（空気や水等）の温度が高くなった場合でも、第２の放熱器４に流入した被加熱媒体と一次側冷媒との温度差を大きくすることができる。このため、第２の放熱器４での熱交換効率が向上する。また、第２の放熱器４を流出した一次側冷媒を第２の熱交換部５で冷却することにより、膨張弁６に流入する前の一次側冷媒の温度を低く（例えば第２の放熱器４に流入する被加熱媒体よりも低く）することができる。このため、蒸発器７を流れる一次側冷媒のエンタルピー差が大きくなり、蒸発器での熱収集能力が向上し、ヒートポンプ１００〜１０２の効率（暖房能力）が向上する。
したがって、第１の放熱器２や第２の放熱器４に流入する被加熱媒体の温度が上昇した場合でも、ＣＯＰが高い状態で運転することが可能なヒートポンプを得ることができる。
【００２３】
また、一次側冷媒として、放熱過程において超臨界状態で動作する冷媒（例えば二酸化炭素）を用いている。放熱器が直列に接続されたヒートポンプに、放熱過程において臨界圧力以下で動作する冷媒を用いた場合、放熱器に流入する冷媒が気液二相状態となることがある。このため、放熱器の各パス（流路）へ気液二相状態の冷媒を分配する際、気相冷媒と液相冷媒との比を考慮する必要がある（例えば分配器等を設ける必要がある）。しかしながら、本実施の形態１では、放熱過程において超臨界状態（単相）で動作する冷媒（例えば二酸化炭素）を一次側冷媒として用いているので、放熱器の各パス（流路）への冷媒分配について考慮する必要がない。このため、放熱器を流れる冷媒の流速を上げることができ、効率よく熱交換を行うことができる。
【００２４】
なお、放熱過程において臨界圧力以下で動作する冷媒は放熱過程で凝縮するため、放熱過程に用いられる熱交換器を凝縮器と称する場合がある。本実施の形態１及び以下の実施の形態では、冷媒の種類にかかわらず、放熱過程に用いられる熱交換器を「放熱器」と称することとする。
【００２５】
実施の形態２．
本発明に係るヒートポンプを、例えば以下のように構成してもよい。なお、本実施の形態２において、特に記述しない項目については実施の形態１と同様とし、同一の機能や構成については同一の符号を用いて述べることとする。
【００２６】
図４は、実施の形態２に係るヒートポンプの一例を示す冷媒回路図である。
本実施の形態２に係るヒートポンプ１０３の一次側冷凍サイクル回路は、実施の形態１の図１で示したヒートポンプ１００の一次側冷凍サイクル回路と同様の構成となっている。しかしながら、第１の熱交換部３及び第２の熱交換部５を構成要素に含む二次側冷凍サイクル回路が設けられている点において、実施の形態１の図１で示したヒートポンプ１００と異なる。
【００２７】
より詳しくは、ヒートポンプ１０３は、第２の圧縮機１０、第１の熱交換部３、第２の膨張弁１１及び第２の熱交換部５が冷媒回路で接続された二次側冷凍サイクル回路を備えている。そして二次側冷凍サイクル回路には、二次側冷媒が循環する。つまり、第１の熱交換部３及び第２の熱交換部５には、同一の冷媒が流れることとなる。また、二次側冷凍サイクル回路から見た場合、第１の熱交換部３は放熱器として機能し、第２の熱交換部５は蒸発器として機能する。また、第１の熱交換部３及び第２の熱交換部５では、一次側冷媒と二次側冷媒との熱交換効率を向上させるため、一次側冷媒の流れ方向と二次側冷媒の流れ方向とが対向流となっている。
【００２８】
本実施の形態２に係るヒートポンプ１０３では、一次側冷媒として二酸化炭素冷媒を用いている。また、二次側冷媒として、プロパン冷媒、ＨＦＯ−１２３４ｙｆ冷媒、アンモニア冷媒等を用いている。これらの冷媒は、蒸発温度が１０℃〜３０℃、擬臨界温度又は凝縮温度が３０℃〜５０℃における理論ＣＯＰが、二酸化炭素冷媒よりも高い冷媒である。
【００２９】
つまり、ヒートポンプ１０３に用いられている一次側冷媒及び二次側冷媒は、従来のヒートポンプにおいて通常用いられているＲ４１０Ａ冷媒のような冷媒（ＧＷＰが２０００程度）に比べてＧＷＰが低い冷媒である。このような冷媒を用いることにより、地球温暖化を抑制することができる。なお、ＧＷＰ（地球温暖化係数）とは、各温室効果ガスの地球温暖化をもたらす効果の程度を二酸化炭素の当該効果に対する比で表したものであり、気候変動に関する政府間パネル（ＩＰＣＣ）が承認し、締約国会議が合意した値である。
【００３０】
ここで、第２の膨張弁１１が本発明の第２の減圧装置に相当し、二次側冷凍サイクル回路が本発明の第２の冷凍サイクル回路に相当する。また、二次側冷媒が、本発明の第２の冷媒に相当する。なお、第２の減圧装置は第２の膨張弁１１に限らず、種々のものを用いることができる。例えば、第２の減圧装置としてキャピラリー等を用いてもよい。
【００３１】
なお、図４は２つの放熱器（第１の放熱器２及び第２の放熱器４）を用いた例について説明しているが、複数（２つ以上）の放熱器が直列接続されていればであればよい。この場合、一次側冷媒の流れ方向に沿って２番目以降の放熱器のうちの少なくとも１つの上流側配管（冷媒入口側配管）に、第１の熱交換部３を設ければよい。また、一次側冷媒の流れ方向に沿って最下流部に配置された放熱器の下流側配管（冷媒出口側配管）に、第２の熱交換部５を設ければよい。
【００３２】
また、複数の放熱器は、空気と熱交換する空気熱交換器に限らず、水熱交換器を用いてもよい。空気熱交換器と水熱交換器の双方を一次側冷凍サイクル回路に設けても、もちろんよい。
【００３３】
（動作説明）
このように構成されたヒートポンプ１０３を動作させた場合、一次側冷媒のＰ−ｈ線図は、以下のようになる。
図５は、実施の形態２に係るヒートポンプにおいて、二次側冷凍サイクル回路を動作させなかった場合における一次側冷媒のＰ−ｈ線図である。また、図６は、実施の形態２に係るヒートポンプにおいて、二次側冷凍サイクルを動作させた場合における一次側冷媒のＰ−ｈ線図である。
なお、図５及び図６に示すａ〜ｅは、図４に示すａ〜ｅの位置での冷媒状態である。また、図５及び図６は、第２の放熱器４に流入する被加熱媒体の温度ＴがＴ１［℃］の場合を示している。
【００３４】
図５に示すように、二次側冷凍サイクル回路を動作させなかった場合、第１の放熱器２から流出した一次側冷媒は、加熱されることなく第２の放熱器４へ流入する（ｂ→ｃ）。このため、第２の放熱器４に流入する被加熱媒体の温度が高くなった場合、第２の放熱器４に流入した被加熱媒体と一次側冷媒との温度差が小さくなってしまう。
また、第２の放熱器４で被加熱媒体を加熱するためには、第２の放熱器４出口における一次側冷媒の温度をＴ１［℃］よりも大きくする必要がある（ｄ）。そして、第２の放熱器４を流出した一次側冷媒は冷却されることなく膨張弁６へ流入する（ｅ）。このため、第２の放熱器４に流入する被加熱媒体の温度が高くなった場合、蒸発器７を流れる一次側冷媒のエンタルピー差が小さくなってしまい、ヒートポンプ１０３の暖房能力が低下する。
【００３５】
一方、図６に示すように二次側冷凍サイクル回路を動作させた場合、第１の放熱器２から流出した一次側冷媒は、第１の熱交換器で加熱された後に第２の放熱器４へ流入する（ｂ→ｃ）。このため、第２の放熱器４に流入する被加熱媒体の温度が高くなった場合でも、第２の放熱器４に流入した被加熱媒体と一次側冷媒との温度差を大きくすることができる。
また、第２の放熱器４を流出した一次側冷媒は、第２の熱交換部５で冷却された後に膨張弁６へ流入する（ｄ→ｅ）。このため、膨張弁６に流入する一次側冷媒の温度をＴ１［℃］よりも小さくすることができる。したがって、第２の放熱器４に流入する被加熱媒体の温度が高くなった場合でも、蒸発器７を流れる一次側冷媒のエンタルピー差を大きくすることができ、ヒートポンプ１０３の暖房能力を向上させることができる。
【００３６】
さらに、本実施の形態２では第１の熱交換部３及び第２の熱交換部５に同一の冷媒（二次側冷媒）が流れるので、第２の熱交換部５において一次側冷媒から収集した熱を、第１の熱交換部３において一次側冷媒の加熱に用いることができる。このため、ヒートポンプ１０３の暖房効率がさらに向上する。
【００３７】
この効果は、二酸化炭素冷媒のように超臨界状態において液の比熱が大きい冷媒を一次側冷媒として用いた場合に効果が大きい。また、このような一次側冷媒は、一次側冷媒の加熱部ｂ→ｃにおける比熱も大きく、二次側冷凍サイクル回路を運転効率が高い状態で動作させることができる。
【００３８】
例えば、放熱器（特に第２の放熱器４）に流入する被加熱媒体の温度を３５℃、一次側冷媒を二酸化炭素、及び二次側冷媒をプロパン冷媒とし、第２の熱交換部５出口における一次側冷媒の温度を１５℃〜２５℃程度にまで低下させるようにヒートポンプ１０３を動作させる。第１の熱交換部３と第２の熱交換部５のそれぞれの熱交換器における二酸化炭素冷媒とプロパン冷媒の熱交換時の対数平均温度差を５℃程度になるように熱交換器を設計していた場合、二酸化炭素冷媒を加熱する二次側冷媒のＣＯＰは１０程度になり（プロパン用圧縮機の効率による損失を含む）、少量の電気入力で大幅な加熱能力を得ることができる。一次側冷凍サイクル回路と二次側冷凍サイクル回路の電気入力の和に対する暖房能力（システムＣＯＰ）は、二次側サイクル回路を動作させなかった場合に比べて１０〜２０％上昇する。
【００３９】
以上、このように構成されたヒートポンプ１０３においては、放熱器（特に第２の放熱器４）に流入する被加熱媒体の温度が高くなった場合に二次側冷凍サイクル回路を動作させることにより、実施の形態１の効果に加え、第２の熱交換部５において一次側冷媒から収集した熱を、第１の熱交換部３において一次側冷媒の加熱に用いることができる。このため、ヒートポンプ１０３の暖房効率がさらに向上する。
【００４０】
一次側冷媒に二酸化炭素冷媒を、二次側冷媒にＲ４１０Ａ冷媒のようなＧＷＰの高いフロン系冷媒を用いたとしても、二次側サイクル回路は部品点数も少なく、容量が小さなため、二次側冷媒として必要な冷媒量は一次側冷媒に必要な冷媒量に比べて圧倒的に少ない。つまり、フロン系冷媒の使用量の低減と高効率な運転により、温室効果ガスの排出の低減につながる。しかし、一次側冷媒及び二次側冷媒にともにＧＷＰが低い冷媒を用いることにより、冷媒漏洩等に伴う温室効果ガスの排出をさらに低減することができる。
【００４１】
実施の形態３．
例えば、以下のような空気調和装置に、本発明に係るヒートポンプを用いてもよい。なお、本実施の形態３において、特に記述しない項目については実施の形態１又は実施の形態２と同様とし、同一の機能や構成については同一の符号を用いて述べることとする。
【００４２】
図７は、実施の形態３に係るヒートポンプの一例を示す冷媒回路図である。
本実施の形態３に係るヒートポンプ１０４は、熱源機Ａ（室外機）、中継機Ｂ、及び複数の室内機（室内機Ｃ，Ｄ，Ｅ）を配管接続することにより、互いに離して設置することができる多室型空気調和装置である。例えばビルの屋上に熱源機Ａを、ビルの各階の天井裏に中継機Ｂを、各部屋に室内機Ｃ，Ｄ，Ｅを設置することができる。また、ヒートポンプ１０４は、各室内機毎に冷房又は暖房の設定をすることが可能な空気調和装置である。
【００４３】
このヒートポンプ１０４は、熱源機Ａから中継機Ｂまでの熱輸送と中継機Ｂから室内機Ｃ，Ｄ，Ｅまでの熱輸送とを、異なる冷媒回路を用いて行っている
熱源機Ａから中継機Ｂまでの熱輸送は、二酸化炭素等、圧縮機２１から吐出される圧力が臨界圧力よりも高い状態となる冷媒により行われる。中継機Ｂから室内機Ｃ，Ｄ，Ｅまでの熱輸送は、水によって行われる。中継機Ｂから室内機Ｃ，Ｄ，Ｅまでの熱輸送は、不凍液、不凍液と水の混合液、水と防食効果が高い添加剤の混合液等のブラインを用いてもよい。
【００４４】
なお、本実施の形態３では熱源機１台に対して中継機１台、室内機３台を接続した場合について説明するが、２台以上の熱源機、２台以上の中継機、２台以上の室内機を接続した場合も同様である。
【００４５】
以下、熱源機Ａ、中継機Ｂ、及び室内機Ｃ，Ｄ，Ｅの詳細構成について説明する。
【００４６】
（熱源機Ａ）
熱源機Ａは、圧縮機２１、圧縮機２１から吐出された冷媒の流通方向を切り替える四方切替弁２２、熱源側熱交換器２３（室外熱交換器）、アキュムレーター２４、及び逆止弁３５〜３８で構成される流路切替弁等を備えている。なお、以後は熱源側熱交換器２３の一例として、空冷式の熱源側熱交換器を用いて説明するが、冷媒が他の流体と熱交換する形態であれば水冷式等他の方式でもよい。
【００４７】
圧縮機２１は、吐出側に四方切替弁２２が接続されており、吸入側にアキュムレーター２４が接続されている。四方切替弁２２は、圧縮機２１、熱源側熱交換器２３、アキュムレーター２４及び流路切替弁と接続されている。四方切替弁２２により、圧縮機２１から吐出された冷媒が熱源側熱交換器２３へ流入する流路（つまり、流路切替弁から流出した冷媒がアキュムレーター２４へ流入する流路）と、圧縮機２１から吐出された冷媒が流路切替弁へ流入する流路（熱源側熱交換器２３から流出した冷媒がアキュムレーター２４へ流入する流路）と、を切り替える。
【００４８】
流路切替弁は、４つの逆止弁（逆止弁３５〜３８）を備えている。
逆止弁３５は、熱源側熱交換器２３と第２の接続配管２７との間に設けられており、熱源側熱交換器２３から第２の接続配管２７へのみ冷媒流通を許容する。逆止弁３６は、熱源機Ａの四方切替弁２２と第１の接続配管２６との間に設けられており、第１の接続配管２６から四方切替弁２２へのみ冷媒流通を許容する。逆止弁３７は、熱源機Ａの四方切替弁２２と第２の接続配管２７との間に設けられており、四方切替弁２２から第２の接続配管２７へのみ冷媒流通を許容する。逆止弁３８は、熱源側熱交換器２３と第１の接続配管２６との間に設けられており、第１の接続配管２６から熱源側熱交換器２３へのみ冷媒流通を許容する。
なお、第２の接続配管２７の他方の端部は、後述する中継機Ｂのバイパス配管３９ａと接続されている。また、第１の接続配管２６の他方の端部は、後述する中継機Ｂの第１の分岐部３０と接続されている。
【００４９】
流路切替弁を設けることによって、圧縮機２１から吐出された冷媒は常に第２の接続配管２７を通って中継機Ｂに流入し、中継機Ｂから流出する冷媒は常に第１の接続配管２６を通ることとなる。このため、第２の接続配管２７の管径を第１の接続配管２６の管径よりも細くすることが可能となる。
【００５０】
（室内機）
室内機Ｃ，Ｄ，Ｅのそれぞれは、同様の構成となっている。
より詳しくは、室内機Ｃは室内熱交換器２５ｃを備えている。室内熱交換器２５ｃの一方の端部は、第１の接続配管２６ｃを介して、後述する中継機Ｂの流路切替弁４２ｉ，４２ｌと接続されている。室内熱交換器２５ｃの他方の端部は、第２の接続配管２７ｃを介して、後述する中継機Ｂの流路切替弁４２ｃ，４２ｆと接続されている。また、室内熱交換器２５ｃと流路切替弁４２ｃ，４２ｆとの間の第２の接続配管２７ｃには、流量制御装置４３ｃが設けられている。流量制御装置４３ｃは、室内熱交換器２５ｃと流路切替弁４２ｉ，４２ｌとの間の第１の接続配管２６ｃに設けられていてもよい。
【００５１】
また、室内機Ｄは室内熱交換器２５ｄを備えている。室内熱交換器２５ｄの一方の端部は、第１の接続配管２６ｄを介して、後述する中継機Ｂの流路切替弁４２ｊ，４２ｍと接続されている。室内熱交換器２５ｄの他方の端部は、第２の接続配管２７ｄを介して、後述する中継機Ｂの流路切替弁４２ｄ，４２ｇと接続されている。また、室内熱交換器２５ｃと流路切替弁４２ｄ，４２ｇとの間の第２の接続配管２７ｄには、流量制御装置４３ｃが設けられている。流量制御装置４３ｃは、室内熱交換器２５ｄと流路切替弁４２ｊ，４２ｍとの間の第１の接続配管２６ｄに設けられていてもよい。
【００５２】
また、室内機Ｅは室内熱交換器２５ｅを備えている。室内熱交換器２５ｅの一方の端部は、第１の接続配管２６ｅを介して、後述する中継機Ｂの流路切替弁４２ｋ，４２ｎと接続されている。室内熱交換器２５ｅの他方の端部は、第２の接続配管２７ｅを介して、後述する中継機Ｂの流路切替弁４２ｅ，４２ｈと接続されている。また、室内熱交換器２５ｅと流路切替弁４２ｅ，４２ｈとの間の第２の接続配管２７ｅには、流量制御装置４３ｃが設けられている。流量制御装置４３ｃは、室内熱交換器２５ｅと流路切替弁４２ｋ，４２ｎとの間の第１の接続配管２６ｅに設けられていてもよい。
【００５３】
なお、第１の接続配管２６ｃ，２６ｄ，２６ｅは、第１の接続配管２６に対応する室内機側の配管である。また、第２の接続配管２７ｃ，２７ｄ，２７ｅは、第２の接続配管２７に対応する室内機側の配管である。なお、第１の接続配管２６ｃ，２６ｄ，２６ｅ及び
第２の接続配管２７ｃ，２７ｄ，２７ｅは、水が流れる配管である。第１の接続配管２６ｃ，２６ｄ，２６ｅを流れる水の密度と第２の接続配管２７ｃ，２７ｄ，２７ｅを流れる水の密度はほぼ同じであるため、これら配管の管径は同じにしてもよい。
【００５４】
（中継機Ｂ）
中継機Ｂは、中間熱交換器４０（中間熱交換器４０ａ，４０ｂ）、第１の流量制御装置２９ａ，２９ｂ、第１の分岐部３０、第２の分岐部３１、第２の流量制御装置３２、及び第３の流量制御装置３３等が配管接続された一次側冷凍サイクル回路を有している。また、中継機Ｂは、第２の圧縮機５０、第１の熱交換部５１、膨張弁５２、及び第２の熱交換部５３が配管接続された２次側冷凍サイクル回路を備えている。
【００５５】
第１の分岐部３０は、電磁弁２８ａ，２８ｂ，２８ｃ，２８ｄを備えている。
電磁弁２８ａ，２８ｃのそれぞれの一方の端部は、中間熱交換器４０ａと接続されている。また、電磁弁２８ａの他方の端部は、第２の接続配管２７と接続されている。電磁弁２８ｃの他方の端部は、第１の接続配管２６と接続されている。
電磁弁２８ｂ，２８ｄのそれぞれの一方の端部は、中間熱交換器４０ｂと接続されている。そして、電磁弁２８ｂと中間熱交換器４０ｂとを接続する配管には、第１の熱交換部５１が設けられている。また、電磁弁２８ｂの他方の端部は、第２の接続配管２７と接続されている。電磁弁２８ｄの他方の端部は、第１の接続配管２６と接続されている。  
【００５６】
第２の分岐部３１は、中間熱交換器４０ａ，４０ｂと接続されている。また、第２の分岐部３１と中間熱交換器４０ａとの間には第１の流量制御装置２９ａが設けられている。第２の分岐部３１と中間熱交換器４０ｂとの間には、第２の分岐部３１側から、第１の流量制御装置２９ｂ及び第２の熱交換部５３が設けられている。第１の流量制御装置２９ａの開度は、冷房時においては中間熱交換器４０ａの出口側過熱度、暖房時においては中間熱交換器４０ａの過冷却度により調整される。第１の流量制御装置２９ｂの開度は、冷房時においては中間熱交換器４０ｂの出口側過熱度、暖房時においては中間熱交換器４０ｂの過冷却度により調整される。また、暖房運転時に中間熱交換器ａの下流に中間熱交換器４０ｂが接続されるように、電磁弁２８ｅが設けられている。
【００５７】
また、第２の分岐部３１は、第１のバイパス配管３９ａを介して第２の接続配管２７と接続されており、第２のバイパス配管３９ｂを介して第１の接続配管２６と接続されている。第１のバイパス配管３９ａには開閉自在な第２の流量制御装置３２が設けられており、第２のバイパス配管３９ｂには開度調整自在な第３の流量調整装置３３が設けられている。また、第１のバイパス配管３９ａ及び第２のバイパス配管３９ｂには、第１のバイパス配管３９ａを流れる冷媒と第２のバイパス配管３９ｂを流れる冷媒とが熱交換を行う、内部熱交換器３４が設けられている。なお、内部熱交換器３４は、設けなくてもよい。
【００５８】
上述のように、第２の圧縮機５０、第１の熱交換部５１、膨張弁５２、及び第２の熱交換部５３が配管接続されて、２次側冷凍サイクル回路が形成されている。第１の熱交換部５１及び第２の熱交換部５３においては、一次側冷凍サイクル回路を流れる一次側冷媒の流れ方向と、二次側冷凍サイクル回路を流れる二次側冷媒の流れ方向と、が対向流となっている。
【００５９】
中間熱交換器４０ａ，４０ｂは、一次側冷媒と室内機Ｃ，Ｄ，Ｅへ熱輸送を行う水とが熱交換を行うものである。中間熱交換器４０ａ，４０ｂは、例えば、プレート式水熱交換器、二重管式水熱交換器、マイクロチャネル式等の水熱交換器等であればよい。
【００６０】
中間熱交換器４０ａは、室内機Ｃ，Ｄ，Ｅへ熱輸送を行う水が循環する水用回路の途中に設けられている。この水用回路の一方の端部は、流路切替弁４２ｃ，４２ｄ，４２ｅと接続されている。この水用回路の他方の端部は、流路切替弁４２ｉ，４２ｊ，４２ｋと接続されている。この水用回路には、水用回路内の水を循環させるポンプ４１ａが設けられている。
【００６１】
中間熱交換器４０ｂは、室内機Ｃ，Ｄ，Ｅへ熱輸送を行う水が循環する水用回路の途中に設けられている。この水用回路の一方の端部は、流路切替弁４２ｆ，４２ｇ，４２ｈと接続されている。この水用回路の他方の端部は、流路切替弁４２ｌ，４２ｍ，４２ｎと接続されている。この水用回路には、水用回路内の水を循環させるポンプ４１ｂが設けられている。
【００６２】
＜動作説明＞
続いて、このヒートポンプ１０４が実行する各種運転時の運転動作について説明する。ヒートポンプ１０４の運転動作には、室内機の冷房運転、暖房運転の設定に応じて、冷房運転、暖房運転、冷房主体運転及び暖房主体運転の４つのモードがある。
【００６３】
冷房運転モードでは、室内機は冷房運転のみが可能となっている、したがって、各室内機は冷房運転中又は停止中となっている。暖房運転モードでは、室内機は暖房運転のみが可能となっている、したがって、各室内機は暖房運転中又は停止中となっている。冷房主体運転モードとは、室内機ごとに冷暖房を選択できる運転モードである。そして、暖房負荷に比べて冷房負荷が大きく（冷房負荷と圧縮機入力の和が暖房負荷よりも大きく）、熱源側熱交換器２３が圧縮機２１の吐出側に接続され、放熱器として作用している運転モードである。暖房主体運転モードとは、室内機ごとに冷暖房を選択できる運転モードである。そして、冷房負荷に比べて暖房負荷が大きく（暖房負荷が冷房負荷と圧縮機入力の和よりも大きく）、熱源側熱交換器２３が圧縮機２１の吸入側に接続され、蒸発器として作用している運転モードである。
【００６４】
まず、図８〜図１５において、二次側冷凍サイクル回路（第２の圧縮機５０、第１の熱交換部５１、膨張弁５２、及び第２の熱交換部５３）を動作させない通常運転における各運転モードの冷媒の流れをＰ−ｈ線図とともに説明する。したがって、図８〜図１５を説明する以下の文章の「冷媒」は、一次側冷媒を示す。
【００６５】
［冷房運転モード］
図８は、実施の形態３に係るヒートポンプにおける冷房運転時の冷媒、水の流れを示す冷媒回路図である。また、図９は、実施の形態３に係るヒートポンプにおける冷房運転時のＰ−ｈ線図である。なお、図９に示すａ〜ｆの冷媒状態は、それぞれ図８に示す箇所での冷媒状態である。
ここでは、室内機Ｃ，Ｄ，Ｅの全てが冷房運転しようとしている場合について説明する。冷房運転モードでは、四方切替弁２２を、圧縮機２１から吐出された冷媒が熱源側熱交換器２３へ流入するように切り替える。また、電磁弁２８ｃ，２８ｄは開いた状態、電磁弁２８ａ，２８ｂは閉じた状態、電磁弁２８ｅは閉じた状態となる。なお、実線で表された配管が冷媒の循環する配管を、太線で表された配管が水の循環する配管を示す。
【００６６】
この状態で、圧縮機２１の運転を開始する。低温低圧のガス冷媒が圧縮機２１によって圧縮され、高温高圧のガス冷媒となって吐出される。この圧縮機２１の冷媒圧縮過程は、圧縮機の断熱効率の分だけ等エントロピ線で断熱圧縮されるよりも加熱されるように圧縮され、図９の点ａから点ｂに示す線で表される。圧縮機２１から吐出された高温高圧のガス冷媒は、四方切替弁２２を介して熱源側熱交換器２３に流入する。このとき、冷媒が室外空気を加熱しながら冷却され、中温高圧の液冷媒となる。熱源側熱交換器２３での冷媒変化は、熱源側熱交換器２３の圧力損失を考慮すると、図９の点ｂから点ｃに示すやや傾いた水平に近い直線で表される。
【００６７】
熱源側熱交換器２３から流出した中温高圧の液冷媒は、第２の接続配管２７を通り、内部熱交換器３４で第２のバイパス配管３９ｂを通る冷媒と熱交換してさらに冷却され、図９の点ｄになる。内部熱交換器３４を流出した冷媒は、第２の分岐部３１に流入して分岐され、第１の流量制御装置２９ａ，２９ｂに流入する。そして、高圧の液冷媒は第１の流量制御装置２９ａ，２９ｂで絞られて膨張、減圧し、低温低圧の気液二相状態になる。この第１の流量制御装置２９ａ，２９ｂでの冷媒の変化は、エンタルピが一定のもとで行われる。このときの冷媒変化は、図９の点ｄから点ｅに示す垂直線で表される。
【００６８】
第１の流量制御装置２９ａ，２９ｂを出た低温低圧の気液二相状態の冷媒は中間熱交換器４０ａ，４０ｂに流入する。そして、この冷媒は、水を冷却しながら加熱され、低温低圧のガス冷媒となる。中間熱交換器４０ａ，４０ｂでの冷媒の変化は、圧力損失を考慮すると、図９の点ｅから点ｆに示すやや傾いた水平に近い直線で表される。中間熱交換器４０ａ，４０ｂを出た低温低圧のガス冷媒は、それぞれ電磁弁２８ｃ，２８ｄを通り、第１の分岐部３０に流入する。第１の分岐部３０で合流した低温低圧のガス冷媒は、第１の接続配管２６及び四方切替弁２２を通って図９の点ａになり、圧縮機２１に流入する。圧縮機２１に流入した低温低圧のガス冷媒は、圧縮機２１にて再び圧縮される。
【００６９】
冷房運転モードでは、中間熱交換器４０ａ，４０ｂではともに冷水が作られている。このため、室内熱交換器２５ｃ，２５ｄ，２５ｅの流路は、どちらの中間熱交換器と接続されてもよい。つまり、流路切替弁４２ｃ〜４２ｎの開閉は、室内熱交換器２５ｃ，２５ｄ，２５ｅの流路がどちらかの中間熱交換器と接続されるようにすればよい。中間熱交換器４０ａ，４０ｂのいずれかで冷却された水は、ポンプ４１ａ，４１ｂによって室内熱交換器２５ｃ，２５ｄ，２５ｅに流入し、室内熱交換器２５ｃ，２５ｄ，２５ｅの設置された空調対象空間を冷房する。このとき、各室内の冷房負荷等に応じて流量制御装置４３ｃの開度を制御することにより、室内熱交換器２５ｃ，２５ｄ，２５ｅへ流入する水の流量が制御される。
【００７０】
［暖房運転モード］
図１０は、実施の形態３に係るヒートポンプにおける暖房運転時の冷媒、水の流れを示す冷媒回路図である。また、図１１は、実施の形態３に係るヒートポンプにおける暖房運転時のＰ−ｈ線図である。なお、図１１に示すａ〜ｇの冷媒状態は、それぞれ図１０に示す箇所での冷媒状態である。
ここでは、室内機Ｃ，Ｄ，Ｅの全てが暖房運転しようとしている場合について説明する。暖房運転モードでは、四方切替弁２２を、圧縮機２１から吐出された冷媒が第１の分岐部３０へ流入するように切り替える。また、電磁弁２８ａは開いた状態、電磁弁２８ｂ，２８ｃ，２８ｄは閉じた状態となる。また、電磁弁２８ｅは開いた状態となっており、中間熱交換器４０ａと中間熱交換器４０ｂは直列接続された状態となる。なお、実線で表された配管が冷媒の循環する配管を、太線で表された配管が水の循環する配管を示す。
【００７１】
この状態で圧縮機２１の運転を開始する。低温低圧のガス冷媒が圧縮機２１によって圧縮され、高温高圧のガス冷媒となって吐出される。この圧縮機の冷媒圧縮過程は図１１の点ａから点ｂに示す線で表される。圧縮機２１から吐出された高温高圧のガス冷媒は、四方切替弁２２及び第２の接続配管２７を介して中間熱交換器４０ａに流入する。そして、この冷媒は、水を加熱しながら冷却され、中温高圧の液冷媒となる。このときの冷媒の変化は、図１１の点ｂから点ｃに示すやや傾いた水平に近い直線で表される。
【００７２】
中間熱交換器４０ａを流出した中温高圧の液冷媒は、電磁弁２８ｅ、第１の熱交換部５１を通って中間熱交換器４０ｂに流入し（点ｃ→点ｄ）、水を加熱しながら冷却され、中温高圧の液冷媒となる。このときの冷媒の変化は、図１１の点ｄから点ｅに示すやや傾いた水平に近い直線で表される。中間熱交換器４０ｂを流出した中温高圧の液冷媒は、第２の熱交換部５３を通って（点ｅ→点ｆ）、第１の流量制御装置２９ｂ及び第３の流量制御装置３３を通過する。このとき、中温高圧の液冷媒は、第１の流量制御装置２９ｂ及び第３の流量制御装置３３で絞られて膨張、減圧し、低温低圧の気液二相状態になる。このときの冷媒変化は図１１の点ｆから点ｇに示す垂直線で表される。なお、冷媒は超臨界状態で単相流となっているため、中間熱交換器４０ａ，４０ｂを直列に接続しても、中間熱交換器４０ｂ入口において冷媒分配の問題がない。このため、中間熱交換器４０ａ，４０ｂを流れる冷媒の流速を上げることができ、効率よく熱交換を行うことができる。なお、中間熱交換器４０ａ，４０ｂを流れる冷媒の流速が落ちるため効率の悪い運転にはなるが、電磁弁２８ａ，２８ｂを開き、電磁弁２８ｃ〜２８ｅを閉じて中間熱交換器４０ａ，４０ｂを並列に接続し、第１の流量制御装置２９ａ，２９ｂがそれぞれ流量制御を行ってもよい。
【００７３】
第３の流量制御装置３３を出た低温低圧の気液二相状態の冷媒は、第１の接続配管２６を介して熱源側熱交換器２３に流入し、室外空気を冷却しながら加熱され、低温低圧のガス冷媒となる。熱源側熱交換器２３での冷媒変化は、図１１の点ｇから点ａに示すやや傾いた水平に近い直線で表される。熱源側熱交換器２３を出た低温低圧のガス冷媒は、四方切替弁２２を通り、圧縮機２１に流入する。圧縮機２１に流入した低温低圧のガス冷媒は、圧縮機２１にて再び圧縮される。
【００７４】
暖房運転モードでは、中間熱交換器４０ａ，４０ｂではともに温水が作られている。このため、室内熱交換器２５ｃ，２５ｄ，２５ｅの流路は、どちらの中間熱交換器と接続されてもよい。つまり、流路切替弁４２ｃ〜４２ｎの開閉は、室内熱交換器２５ｃ，２５ｄ，２５ｅの流路がどちらかの中間熱交換器と接続されるようにすればよい。中間熱交換器４０ａ，４０ｂのいずれかで加熱された水は、ポンプ４１ａ，４１ｂによって室内熱交換器２５ｃ，２５ｄ，２５ｅに流入し、室内熱交換器２５ｃ，２５ｄ，２５ｅの設置された空調対象空間を暖房する。このとき、各室内の冷房負荷等に応じて流量制御装置４３ｃの開度を制御することにより、室内熱交換器２５ｃ，２５ｄ，２５ｅへ流入する水の流量が制御される。
【００７５】
［冷房主体運転モード］
図１２は、実施の形態３に係るヒートポンプにおける冷房主体運転時の冷媒、水の流れを示す冷媒回路図である。また、図１３は、実施の形態３に係るヒートポンプにおける冷房主体運転時のＰ−ｈ線図である。なお、図１３に示すａ〜ｈの冷媒状態は、それぞれ図１２に示す箇所での冷媒状態である。
ここでは、室内機Ｃ，Ｄが冷房を、室内機Ｅが暖房をしている場合について説明する。冷房主体運転モードでは、四方切替弁２２を、圧縮機２１から吐出された冷媒が熱源側熱交換器２３へ流入するように切り替える。また、電磁弁２８ｂ，２８ｃは開いた状態、電磁弁２８ａ，２８ｄは閉じた状態、電磁弁２８ｅは閉じた状態となる。冷房主体運転モードでは、中間熱交換器４０ａが冷水を作り、中間熱交換器４０ｂが温水を作る。また、熱源側熱交換器２３と温水を作る中間熱交換器４０ｂが放熱器として直列に接続されている。なお、実線で表された配管が冷媒の循環する配管を、太線で表された配管が水の循環する配管を示す。
【００７６】
この状態で、圧縮機２１の運転を開始する。低温低圧のガス冷媒が圧縮機２１によって圧縮され、高温高圧のガス冷媒となって吐出される。この圧縮機の冷媒圧縮過程は図１３の点ａから点ｂに示す線で表される。圧縮機２１から吐出された高温高圧のガス冷媒は、四方切替弁２２を介して熱源側熱交換器２３に流入する。このとき、熱源側熱交換器２３に流入した冷媒は、暖房で必要な熱量を残した状態まで室外空気を加熱しながら冷却され、中温高圧の冷媒となる。熱源側熱交換器２３での冷媒変化は、図１３の点ｂから点ｃに示すやや傾いた水平に近い直線で表される。
【００７７】
熱源側熱交換器２３から流出した中温高圧の冷媒は、第２の接続配管２７、第１の熱交換部５１を通り、温水を作る中間熱交換器４０ｂに流入する。このとき、冷媒はほとんど変化せず、図１３の点ｄになる。中間熱交換器４０ｂに流入した中温高圧の冷媒は、中間熱交換器４０ｂで温水を加熱しながら冷却され、中温高圧の液冷媒となる。中間熱交換器４０ｂでの冷媒の変化は、図１３の点ｄから点ｅに示すやや傾いた水平に近い直線で表される。
【００７８】
温水を作る中間熱交換器４０ｂから流出した冷媒は、第２の熱交換部５３を通り（点ｅ→点ｆ）、第１の流量制御装置２９ｂ，２９ａを通過する。第１の流量制御装置２９ｂ，２９ａを通過する際、中温高圧の冷媒は、第１の流量制御装置２９ｂ，２９ａで絞られて膨張、減圧し、低温低圧の気液二相状態になる。この第１の流量制御装置２９ｂ，２９ａでの冷媒の変化はエンタルピが一定のもとで行われる。このときの冷媒変化は、図１３の点ｆから点ｇに示す垂直線で表される。
【００７９】
第１の流量制御装置２９ａ，２９ｂを出た低温低圧で気液二相状態の冷媒は、冷水を作る中間熱交換器４０ａに流入する。そして、冷水を作る中間熱交換器４０ａに流入した低温低圧で気液二相状態の冷媒は、水を冷却しながら加熱され、低温低圧のガス冷媒となる。中間熱交換器４０ａでの冷媒の変化は、図１３の点ｇから点ｈに示すやや傾いた水平に近い直線で表される。中間熱交換器４０ａを出た低温低圧のガス冷媒は、第１の分岐部３０（より詳しくは電磁弁２８ｃ）に流入する。第１の分岐部３０を通った低温低圧のガス冷媒は、第１の接続配管２６及び四方切替弁２２を通って図１３の点ａになり、圧縮機２１に流入する。圧縮機２１に流入した低温低圧のガス冷媒は、圧縮機２１にて再び圧縮される。
【００８０】
冷房主体運転モードでは、温水を作る中間熱交換器４０ｂと暖房を行う室内機Ｅが接続される流路、冷水を作る中間熱交換器４０ａと冷房を行う室内機Ｃ，Ｄが接続される流路となるように、流路切替弁４２ｃ〜４２ｎが開閉される。
つまり、ポンプ４１ｂによって室内熱交換器２５ｅに流入した温水が、室内機Ｅの設置された空調対象空間を暖房する。このとき、室内機Ｅの設置された室内の暖房負荷等に応じて流量制御装置４３ｃの開度を制御することにより、室内熱交換器２５ｅへ流入する水の流量が制御される。また、ポンプ４１ａによって室内熱交換器２５ｃ，２５ｄに流入した冷水が、室内機Ｃ，Ｄの設置された空調対象空間を冷房する。このとき、室内機Ｃ，Ｄの設置された室内の冷房負荷等に応じて流量制御装置４３ｃの開度を制御することにより、室内熱交換器２５ｃ，２５ｄへ流入する水の流量が制御される。
【００８１】
［暖房主体運転モード］
図１４は、実施の形態３に係るヒートポンプにおける暖房主体運転時の冷媒、水の流れを示す冷媒回路図である。また、図１５は、実施の形態３に係るヒートポンプにおける暖房主体運転時のＰ−ｈ線図である。なお、図１５に示すａ〜ｅの冷媒状態は、それぞれ図１４に示す箇所での冷媒状態である。
ここでは、室内機Ｃが冷房を、室内機Ｄ，Ｅが暖房をしている場合について説明する。暖房主体運転モードでは、四方切替弁２２を、圧縮機２１から吐出された冷媒が第１の分岐部３０へ流入するように切り替える。また、電磁弁２８ｂ，２８ｃは開いた状態、電磁弁２８ａ，２８ｄは閉じた状態、電磁弁２８ｅは閉じた状態となる。暖房主体運転モードでは、中間熱交換器４０ａが冷水を作り、中間熱交換器４０ｂが温水を作る。なお、実線で表された配管が冷媒の循環する配管を、太線で表された配管が水の循環する配管を示す。
【００８２】
この状態で、圧縮機２１の運転を開始する。低温低圧のガス冷媒が圧縮機２１によって圧縮され、高温高圧のガス冷媒となって吐出される。この圧縮機の冷媒圧縮過程は図１５の点ａから点ｂに示す線で表される。圧縮機２１から吐出された高温高圧のガス冷媒は、四方切替弁２２及び第２の接続配管２７を介して、温水を作る中間熱交換器４０ｂに流入する。中間熱交換器４０ｂに流入した高温高圧のガス冷媒は、水を加熱しながら冷却され、中温高圧の液冷媒となる。中間熱交換器４０ｂでの冷媒の変化は、図１５の点ｂから点ｃに示すやや傾いた水平に近い直線で表される。
【００８３】
中間熱交換器４０ｂから流出した中温高圧の液冷媒は、第１の流量制御装置２９ｂ，２９ａを通過する。第１の流量制御装置２９ｂ，２９ａを通過する際、中温高圧の液冷媒は、第１の流量制御装置２９ｂ，２９ａで絞られて膨張、減圧し、低温低圧の気液二相状態になる。このときの冷媒変化は、図１５の点ｃから点ｄに示す垂直線で表される。第１の流量制御装置２９ａを出た低温低圧で気液二相状態の冷媒は、冷水を作る中間熱交換器４０ａに流入する。中間熱交換器４０ａに流入した低温低圧で気液二相状態の冷媒は、冷水を冷却しながら加熱され、低温低圧の気液二相の冷媒となる。このときの冷媒変化は、図１５の点ｄから点ｅに示すやや傾いた水平に近い直線で表される。
【００８４】
中間熱交換器４０ａを出た低温低圧で気液二相状態の冷媒は、第１の接続配管２６を通って、熱源側熱交換器２３に流入する。熱源側熱交換器２３に流入した低温低圧で気液二相状態の冷媒は、室外空気から吸熱して、低温低圧のガス冷媒となる。このときの冷媒変化は、図１５の点ｅから点ａに示すやや傾いた水平に近い直線で表される。熱源側熱交換器２３を出た低温低圧のガス冷媒は、四方切替弁２２を通って圧縮機２１に流入する。圧縮機２１に流入した低温低圧のガス冷媒は、圧縮機２１にて再び圧縮される。
【００８５】
冷房主体運転モードでは、温水を作る中間熱交換器４０ｂと暖房を行う室内機Ｄ，Ｅが接続される流路、冷水を作る中間熱交換器４０ａと冷房を行う室内機Ｃが接続される流路となるように、流路切替弁４２ｃ〜４２ｎが開閉される。
つまり、ポンプ４１ｂによって室内熱交換器２５ｄ，２５ｅに流入した温水が、室内機Ｄ，Ｅの設置された空調対象空間を暖房する。このとき、室内機Ｄ，Ｅの設置された室内の暖房負荷等に応じて流量制御装置４３ｃの開度を制御することにより、室内熱交換器２５ｄ，２５ｅへ流入する水の流量が制御される。また、ポンプ４１ａによって室内熱交換器２５ｃに流入した冷水が、室内機Ｃの設置された空調対象空間を冷房する。このとき、室内機Ｃの設置された室内の冷房負荷等に応じて流量制御装置４３ｃの開度を制御することにより、室内熱交換器２５ｃへ流入する水の流量が制御される。
【００８６】
次に、暖房運転モード及び冷房主体運転モードにおいて、二次側冷凍サイクル回路（第２の圧縮機５０、第１の熱交換部５１、膨張弁５２、及び第２の熱交換部５３）を動作させた場合について説明する。
【００８７】
［暖房運転モード］
図１６は、実施の形態３に係るヒートポンプの暖房運転モードにおいて二次側サイクル回路を動作させた場合の冷媒、水の流れを示す図である。また、図１７は、実施の形態３に係るヒートポンプの暖房運転モードにおいて二次側サイクルを動作させた場合のＰ−ｈ線図である。なお、図１７に示すａ〜ｇの冷媒状態は、それぞれ図１６に示す箇所での冷媒状態である。また、図１６では、実線で表された配管が冷媒の循環する配管を、太線で表された配管が水の循環する配管を示す。
二次側冷凍サイクル回路に二次側冷媒が循環している以外、図１０に示す一次側冷媒及び水の流れと図１６に示す一次側冷媒及び水の流れは同様である。
【００８８】
二次側冷凍サイクル回路が動作することにより、中間熱交換器４０ａを出た一次側冷媒（点ｃ）は、第１の熱交換部５１において二次側冷媒に加熱される（点ｄ）。このため、中間熱交換器４０ｂに流入する一次側冷媒の温度が上昇し、中間熱交換器４０ｂの熱交換性能が向上する。また、中間熱交換器４０ｂを出た一次側冷媒（点ｅ）は、第２の熱交換部５３において二次側冷媒に冷却される（点ｆ）。このため、効率良く暖房運転を行うことができる。
【００８９】
［冷房主体運転モード］
図１８は、実施の形態３に係るヒートポンプの冷房主体運転モードにおいて二次側サイクルを動作させた場合の冷媒、水の流れを示す図である。また、図１９は、実施の形態３に係るヒートポンプの冷房主体運転モードにおいて二次側サイクルを動作させた場合のＰ−ｈ線図である。なお、図１９に示すａ〜ｈの冷媒状態は、それぞれ図１８に示す箇所での冷媒状態である。また、図１８では、実線で表された配管が冷媒の循環する配管を、太線で表された配管が水の循環する配管を示す。
二次側冷凍サイクル回路に二次側冷媒が循環している以外、図１８に示す一次側冷媒及び水の流れと図１２に示す一次側冷媒及び水の流れは同様である。
【００９０】
二次側冷凍サイクル回路が動作することにより、中間熱交換器４０ａを出た一次側冷媒（点ｃ）は、第１の熱交換部５１において二次側冷媒に加熱される（点ｄ）。このため、中間熱交換器４０ｂに流入する一次側冷媒の温度が上昇し、中間熱交換器４０ｂの熱交換性能が向上する。また、中間熱交換器４０ｂを出た一次側冷媒（点ｅ）は、第２の熱交換部５３において二次側冷媒に冷却される（点ｆ）。点ｅ→点ｆの冷却分を温水の加熱に使用することができ、効率よく冷房主体運転を行うことができる。
【００９１】
図２０は、実施の形態３に係るヒートポンプの別の一例を示す冷媒回路図である。
本実施の形態３に係るヒートポンプ１０５は、流路切替弁としての逆止弁３５〜３８を設けていない点がヒートポンプ１０４と異なる。この回路においては、暖房運転モード及び暖房主体運転モードにおいて、第１の接続配管２６を流れる冷媒の向きと第２の接続配管２７を流れる冷媒の向きがヒートポンプ１０４とは逆転する。また、暖房運転モード及び暖房主体運転モードにおいて、電磁弁２８ａ〜２８ｄの開閉が、ヒートポンプ１０４とは逆転する。この冷媒回路においても、暖房運転モードと冷房主体運転モードにおいて前述の二次側冷凍サイクル回路を動作させることにより、ＣＯＰを大幅に向上させることができる。
【００９２】
図２１は、実施の形態３に係るヒートポンプのさらに別の一例を示す冷媒回路図である。
本実施の形態３に係るヒートポンプ１０６は、ポンプ４１ｂの下流の水配管と中間熱交換器４０ａの上流の水配管とを接続する水配管４４が設けられている。この水配管４４には、流路切替弁４４ｃが設けられている。また、ポンプ４１ｂの下流の水配管には、水配管４４との接続部より下流側に、流路切替弁４４ｂが設けられている。また、中間熱交換器４０ａの上流の水配管には、水配管４４との接続部より上流側に、流路切替弁４４ａが設けられている。その他の構成は、ヒートポンプ１０４と同様である。
【００９３】
この回路においては、流路切替弁４４ａ，４４ｂを閉じ、流路切替弁４４ｃを開くことで、水側回路についても中間熱交換器４０ａ，４０ｂを直列に接続できる。また、流路切替弁４４ａ，４４ｂを開き、流路切替弁４４ｃを閉じることで、中間熱交換器４０ａ，４０ｂを並列に接続することができる。暖房運転モードでは中間熱交換器４０ａ，４０ｂを直列に接続し、その他の運転モードでは中間熱交換器４０ａ，４０ｂを並列に接続する。このとき、暖房運転時に中間熱交換器４０ａ，４０ｂを直列に接続して水の流速を上げることができ、効率よく熱交換を行うことができる。この回路においても暖房運転モードと冷房主体運転モードにおいて、前述の二次側冷凍サイクル回路を動作させることにより、ＣＯＰを大幅に向上させることができる。
【００９４】
図２２は、実施の形態３に係るヒートポンプのさらに別の一例を示す冷媒回路図である。
本実施の形態３に係るヒートポンプ１０７は、圧縮機１から吐出された冷媒が直接中間熱交換器４０ａ，４０ｂに流入するように、圧縮機１の吐出配管と電磁弁２８ａ，２８ｂとを接続する第３の接続配管４５を設けた点がヒートポンプ１０５と異なる。なお、第２の流量制御装置３２は、第２の接続配管２７に設けられれば、熱源機Ａにあってもよいし中継機Ｂにあってもよい。
【００９５】
ヒートポンプ１０４〜１０６では、冷房主体運転モードの暖房を行う中間熱交換器と熱源側熱交換器２３とが直列に接続されていた。また、暖房主体運転モードの冷房を行う中間熱交換器と熱源側熱交換器２３とが直列に接続されていた。一方、ヒートポンプ１０７では、冷房主体運転モードの暖房を行う中間熱交換器と熱源側熱交換器２３とが並列に接続される。また、暖房主体運転モードの冷房を行う中間熱交換器と熱源側熱交換器２３とが並列に接続される。この回路においても、暖房運転モードにおいて前述の二次側冷凍サイクル回路を動作させることにより、ＣＯＰを大幅に向上させることができる。
【００９６】
なお、ヒートポンプ１０５〜１０７については、内部熱交換器３４や第２のバイパス配管３９ｂを設けない回路としてもよい。ヒートポンプ１０７については、水側回路を中間熱交換器４０ａ，４０ｂが直列になるように接続する回路としてもよい。また、ヒートポンプ１０４〜１０７の四方切替弁２２はこれに限るものではなく、開閉弁(電磁弁)や三方弁を複数個設置し、回路切替機能を代用してもよい。
【００９７】
以上、このように構成されたヒートポンプ１０４〜１０７においては、放熱器が直列に接続された運転モード（暖房運転モード、冷房主体運転モード）において、二次側冷凍サイクル回路を動作させることにより、ＣＯＰを大幅に向上させることができる。
【００９８】
また、このように構成されたヒートポンプ１０４〜１０７においては、室内機Ｃ，Ｄ，Ｅへの熱輸送は水によって行われている。このため、一次側冷媒や二次側冷媒が漏洩したとしても、各室内へ一次側冷媒や二次側冷媒が浸入することを抑制できる。したがって、安全なヒートポンプを得ることができる。
【００９９】
また、中継機Ｂから室内機Ｃ，Ｄ，Ｅまでの熱輸送を冷媒で行なう場合、通常、室内機Ｃ，Ｄ，Ｅの近傍に流量制御装置が設置されることとなる。一方、中継機Ｂから室内機Ｃ，Ｄ，Ｅまでの熱輸送を水で行なう場合、水配管を流れる水は圧力損失により温度変化することがないので、中継機Ｂ内に流量調整装置４３ｃを設置することが可能となる。つまり、中継機Ｂ内設置された流量調整装置４３ｃの開度制御によって、水の行き帰りの温度差制御をすることにより、空調対象空間を空気調和することができる。流量調整装置４３ｃが空調対象空間から離れているため、制御弁の駆動や弁通過時の冷媒の流動音等、空調対象空間への騒音を低減させることができる。
【０１００】
また、中継機Ｂ内に流量調整装置４３ｃを設置した場合、室内熱交換器２５ｃ，２５ｄ，２５ｅに接続された各流量調整装置４３ｃの制御を、中継機Ｂで一括して行なうことができる。室内機Ｃ，Ｄ，Ｅにおける制御は、室内機用リモコンの設定状況、サーモオフ、及び熱源機Ａがデフロストを行なっているか等の情報に基づき、ファンの制御のみをすればよい。
また、熱源機Ａから中継機Ｂまでの熱輸送を一次側冷媒で行なうことにより、水の駆動に使用するポンプ４１ａ，４１ｂを小型化でき、さらに水の搬送動力を低減させて省エネルギー化を図ることができる。
【符号の説明】
【０１０１】
１  圧縮機、２  第１の放熱器（空気熱交換器、水熱交換器）、３  第１の熱交換部（加熱部）、４  第２の放熱器（空気熱交換器、水熱交換器）、５  第２の熱交換部（冷却部）、６  膨張弁、７  蒸発器、８，９  ポンプ、１０  第２の圧縮機、１１  第２の膨張弁、２１  圧縮機、２２  四方切替弁（流路切替弁）、２３  熱源側熱交換器（室外熱交換器）、２４  アキュムレーター、２５ｃ，２５ｄ，２５ｅ  室内熱交換器、２６  第１の接続配管、２７  第２の接続配管、２８  電磁弁、２９ａ，２９ｂ  第１の流量制御装置、３０  第１の分岐部、３１、  第２の分岐部、３２  第２の流量制御装置、３３  第３の流量制御装置、３４  内部熱交換器  ３５〜３８  逆止弁（流路切替弁）、３９ａ  第１のバイパス配管、３９ｂ  第２のバイパス配管、４０，４０ａ，４０ｂ  中間熱交換器、４１ａ，４１ｂ  ポンプ、４２  流路切替弁、４３ｃ  流量制御装置、４４  水配管、４４ａ，４４ｂ，４４ｃ  流路切替弁、４５  第３の接続配管、５０  第２の圧縮機、５１  第１の熱交換部（加熱部）、５２  膨張弁、５３  第２の熱交換部（冷却部）、１００〜１０７  ヒートポンプ、Ａ  熱源機（室外機）、Ｂ  中継機、Ｃ，Ｄ，Ｅ  室内機。
【図１】
0005496217.tif 000002
【図２】
0005496217.tif 000003
【図３】
0005496217.tif 000004
【図４】
0005496217.tif 000005
【図５】
0005496217.tif 000006
【図６】
0005496217.tif 000007
【図７】
0005496217.tif 000008
【図８】
0005496217.tif 000009
【図９】
0005496217.tif 000010
【図１０】
0005496217.tif 000011
【図１１】
0005496217.tif 000012
【図１２】
0005496217.tif 000013
【図１３】
0005496217.tif 000014
【図１４】
0005496217.tif 000015
【図１５】
0005496217.tif 000016
【図１６】
0005496217.tif 000017
【図１７】
0005496217.tif 000018
【図１８】
0005496217.tif 000019
【図１９】
0005496217.tif 000020
【図２０】
0005496217.tif 000021
【図２１】
0005496217.tif 000022
【図２２】
0005496217.tif 000023